(57)【要約】【課題】締結構造を簡略化することにより、締結に要するコストや手間を削減することができるようにする。【解決手段】上端に上蓋８の付いた中空の下階柱１５と、下端に底蓋９の付いた中空の上階柱１６との間を締結する締結具２１であって、締結具本体２２が、下階柱１５の上蓋８部分に螺着可能な下部ネジ部２３と、少なくとも上階柱１６の底蓋９よりも上方へ突出する部分に形成されて、ナット部材２４を螺着可能な上部ネジ部２５とを有し、且つ、上部ネジ部２５の上部に、先の尖った先尖部３１と、先尖部３１の下部を軸線方向へ延長して成る、上部ネジ部２５よりも小径のストレート部３２を有するようにしている。【選択図】        図３
2005023968.tif 000002
【特許請求の範囲】
【請求項１】
上端に上蓋の付いた中空の下階柱と、下端に底蓋の付いた中空の上階柱との間を締結する締結具であって、
締結具本体が、下階柱の上蓋部分に螺着可能な下部ネジ部と、少なくとも上階柱の底蓋よりも上方へ突出する部分に形成されて、ナット部材を螺着可能な上部ネジ部とを有し、
且つ、上部ネジ部の上部に、先の尖った先尖部と、先尖部の下部を軸線方向へ延長して成る、前記上部ネジ部よりも小径のストレート部を有することを特徴とする締結具。
【請求項２】
前記下部ネジ部および上部ネジ部の間に、リング部材を外嵌係止可能なネジ無部を形成したことを特徴とする請求項１記載の締結具。
【請求項３】
前記リング部材が、上階柱の底蓋に形成された蓋孔と締結具本体との側部間に介在された偏芯プレートを位置固定可能であることを特徴とする請求項２記載の締結具。
【請求項４】
上部ネジ部が、ナット部材の螺着位置よりも上方へ及ぶ延長ネジ部を有すると共に、ストレート部を角頭部としたことを特徴とする請求項１乃至３の何れか１項に記載の締結具。
【請求項５】
請求項１乃至４記載の締結具本体にナット部材を螺着させる締結工具であって、
上階柱の上端側から挿入可能なロッド部と、ロッド部の下端側に取付けられて、ナット部材を保持可能なソケットレンチ部とを有し、
該ソケットレンチ部が、その外周に締結具本体に対する挿入ガイド部材を昇降可能に有することを特徴とする締結工具。
【請求項６】
請求項４記載の締結具本体を取外す取外工具であって、
上階柱の上端側から挿入可能なロッド部と、ロッド部の下端側に取付けられた操作部とを有し、
該操作部が、延長ネジ部に螺着可能なネジ部を備えた締結具保持部と、角頭部に嵌着して角頭部を締結解除方向へ回転可能なレンチ部とを有することを特徴とする取外工具。
【請求項７】
請求項１乃至４記載の締結具本体を用いて建物ユニットのユニット柱を締結してなるユニット建物であって、
ユニット柱が外面側の位置を合わせて設置され、上蓋と底蓋の蓋孔および上蓋に形成された工具挿入孔がユニット柱の外面側のコーナー部と内面側のコーナー部とを結ぶ対角線上に配置されたことを特徴とするユニット建物。
【発明の詳細な説明】
【０００１】
【発明の属する技術分野】
この発明は、締結具、締結工具並びに取外工具、ユニット建物に関するものである。
【０００２】
【従来の技術】
従来より、予め工場で製造された複数の建物ユニットを建築現場へ搬送し、水平方向や上下方向へ積重ねて連結することにより、ユニット建物を構築するユニット工法が行われている。
【０００３】
このようなユニット建物では、例えば、４本の中空のユニット柱の上端間を４本の天井梁で矩形状に連結すると共に、４本のユニット柱の下端間を４本の床梁で矩形状に連結してなるボックスラーメン構造の建物ユニットが用いられている。
【０００４】
そして、下階に設置された建物ユニット（下階ユニット）と上階に設置された建物ユニット（上階ユニット）との間を連結する手段としては、従来、下階ユニットのユニット柱（下階柱）上端の上蓋に円錐台状のナット部材を取付け、上階ユニットのユニット柱（上階柱）下端の底蓋にナット部材に合致する凹部を形成し、ナット部材に凹部を嵌合させた状態にして、上階柱の内部で且つ底蓋の上側からナット部材に締結ボルトを螺着することにより、上階柱と下階柱とを締結するようにしたものがある（例えば、特許文献１参照）。
【０００５】
【特許文献１】
特許第２７７５５８２号公報
【０００６】
【発明が解決しようとする課題】
しかしながら、上記特許文献１に記載された連結手段では、以下のような問題があった。
【０００７】
即ち、締結構造が複雑なため、コストが高くなると共に、締結後は円錐台状のナット部材や凹部は無駄部品となる。また、締結ボルトを円錐台状のナット部材へと誘導する手段が複雑となるため締結作業に手間がかかる。更に、上階柱内に存在するゴミが凹部の頂部に堆積され易く締結作業の妨げとなる。加えて、上階ユニットと下階ユニットとの間の誤差を調整することができない。そして、締結ボルトを交換することが困難である。
【０００８】
そこで、本発明の目的は、上記の問題点を解消し、締結構造を簡略化することにより、締結に要するコストや手間を削減することのできる締結具、締結工具並びに取外工具、ユニット建物を提供することにある。
【０００９】
【課題を解決するための手段】
上記課題を解決するために、請求項１に記載された締結具の発明では、上端に上蓋の付いた中空の下階柱と、下端に底蓋の付いた中空の上階柱との間を締結する締結具であって、締結具本体が、下階柱の上蓋部分に螺着可能な下部ネジ部と、少なくとも上階柱の底蓋よりも上方へ突出する部分に形成されて、ナット部材を螺着可能な上部ネジ部とを有し、且つ、上部ネジ部の上部に、先の尖った先尖部と、先尖部の下部を軸線方向へ延長して成る、前記上部ネジ部よりも小径のストレート部を有する締結具を特徴としている。
【００１０】
このように構成された請求項１にかかる締結具の発明によれば、下階柱の上蓋に立てた締結具本体に上階柱の底蓋を通して上からナット部材を螺着する構成としたことにより、締結構造を簡略化してコストや手間を削減し、且つ、ゴミ詰まりによる締結不良などを防止することができる。また、上部ネジ部の上部に先尖部と小径のストレート部を形成したことにより、締結具本体に対するナット部材の挿入を先尖部でガイドすることができ、ナット部材が斜めに入ってきた場合でも、ナット部材をストレート部で上部ネジ部に対して真直ぐにすることができる。
【００１１】
請求項２に記載された締結具の発明では、前記下部ネジ部および上部ネジ部の間に、リング部材を外嵌係止可能なネジ無部を形成した請求項１記載の締結具を特徴としている。
【００１２】
このように構成された請求項２にかかる締結具の発明によれば、ネジ無部に形成したリング部材が、締結具本体の取外時に、ナット部材と上階柱の底蓋との間に介在させた座金およびワッシャを係止するため、締結具本体と一緒に座金およびワッシャを取外すことが可能となる。
【００１３】
請求項３に記載された締結具の発明では、前記リング部材が、上階柱の底蓋に形成された蓋孔と締結具本体との側部間に介在された偏芯プレートを位置固定可能である請求項２記載の締結具を特徴としている。
【００１４】
このように構成された請求項３にかかる締結具の発明によれば、上階柱の底蓋に形成された蓋孔と締結具本体との間に偏芯プレートを介在させることにより、下階柱と上階柱との間の誤差を調整することが可能となると共に、この偏芯プレートをリング部材を利用して位置決め固定させることができる。
【００１５】
請求項４に記載された締結具の発明では、上部ネジ部が、ナット部材の螺着位置よりも上方へ及ぶ延長ネジ部を有すると共に、ストレート部を角頭部とした請求項１乃至３の何れか１項に記載の締結具を特徴としている。
【００１６】
このように構成された請求項４にかかる締結具の発明によれば、延長ネジ部を利用して締結具本体を保持しつつ、角頭部を利用して締結具本体を締結解除方向へ回転させることにより、ナット部材ごと締結具本体を取外して部品交換を行うことが可能となる。
【００１７】
請求項５に記載された締結工具の発明では、請求項１乃至４記載の締結具本体にナット部材を螺着させる締結工具であって、上階柱の上端側から挿入可能なロッド部と、ロッド部の下端側に取付けられて、ナット部材を保持可能なソケットレンチ部とを有し、該ソケットレンチ部が、その外周に締結具本体に対する挿入ガイド部材を昇降可能に有する締結工具を特徴としている。
【００１８】
このように構成された請求項５にかかる締結工具の発明によれば、締結具本体にソケットレンチ部を用いてナット部材を螺着する構成としたことにより、締結構造を簡略化してコストや手間を削減し、且つ、ゴミ詰まりなどによる締結不良を防止することができる。また、挿入ガイド部材をソケットレンチ部よりも下方へ突出した状態とすることにより、挿入ガイド部材でソケットレンチ部を締結具本体へ容易に誘導することができる。
【００１９】
請求項６に記載された取外工具の発明では、請求項４記載の締結具本体を取外す取外工具であって、上階柱の上端側から挿入可能なロッド部と、ロッド部の下端側に取付けられた操作部とを有し、該操作部が、延長ネジ部に螺着可能なネジ部を備えた締結具保持部と、角頭部に嵌着して角頭部を締結解除方向へ回転可能なレンチ部とを有する取外工具を特徴としている。
【００２０】
このように構成された請求項６にかかる取外工具の発明によれば、延長ネジ部に締結具保持部のネジ部を螺着することにより締結具本体を保持しつつ、角頭部にレンチ部を嵌着して締結具本体を締結解除方向へ回転させることにより、ナット部材ごと締結具本体を取外して部品交換を行うことが可能となる。
【００２１】
請求項７に記載されたユニット建物の発明では、請求項１乃至４記載の締結具本体を用いて建物ユニットのユニット柱を締結してなるユニット建物であって、ユニット柱が外面側の位置を合わせて設置され、上蓋と底蓋の蓋孔および上蓋に形成された工具挿入孔がユニット柱の外面側のコーナー部と内面側のコーナー部とを結ぶ対角線上に配置されたことを特徴としている。
【００２２】
このように構成された請求項７にかかるユニット建物の発明によれば、太さ違いのユニット柱に対しても共通の工具で対応することが可能となる。
【００２３】
【発明の実施の形態】
以下、本発明を具体化した実施の形態について、図示例と共に説明する。
【００２４】
図１〜図１６は、この発明の実施の形態を示すものである。
【００２５】
まず、構成を説明すると、図１はユニット建物１において、下階の建物ユニット２（下階ユニット４）の上部に上階の建物ユニット２（上階ユニット３）を設置した状態を示している。
【００２６】
各建物ユニット２は、例えば、４本の中空のユニット柱５の上端間を４本の天井梁６で矩形状に連結すると共に、４本のユニット柱５の下端間を４本の床梁７で矩形状に連結してなるボックスラーメン構造を備えている。なお、建物ユニット２には、直方体状のもの以外にも異形のものが多数存在する。
【００２７】
ユニット柱５は、図２に示すように、その上端に上蓋８が取付けられていると共に、その下端に底蓋９が取付けられている。上蓋８や底蓋９の取付けは、例えば、溶接などによって行われる。上蓋８と底蓋９にはそれぞれ対応する位置に蓋孔１０，１１が形成されている。上蓋８の蓋孔１０は底蓋９の蓋孔１１よりも大径とされている。上蓋８における蓋孔１０の下面にはウェルドナット１２が取付けられている（図３参照）。加えて、上蓋８には必要に応じて工具挿入孔１３が形成される。
【００２８】
なお、ユニット柱５は、図２に仮想線で示すように、大きさ違いのものが何種類か存在するが、建物ユニット２の大きさを揃えるために、ユニット柱５は外面側の位置を合せて設置するようにしている。そのため、蓋孔１０，１１と工具挿入孔１３は、ユニット柱５の外面側のコーナー部と内面側のコーナー部とを結ぶ対角線上に配置するようにしている。しかも、蓋孔１０，１１はユニット柱５の外面側のコーナー部寄りで且つ等距離の位置に設置するようにしている。また、工具挿入孔１３は蓋孔１０，１１よりも内面側のコーナー部寄りに設置するようにしている。これにより、大きさ違いのユニット柱５に対しても共通の工具で対応することが可能となる。また、後述する水平プレート１４（図３、図４参照）も、妻−妻方向（短辺方向）に対するものと、桁−桁方向（長辺方向）に対するものとを共通化することが可能となる。
【００２９】
そして、下階ユニット４における上端に上蓋８の付いた中空のユニット柱５（下階柱１５）と、上階ユニット３における下端に底蓋９の付いた中空のユニット柱５（上階柱１６）との間を、図３に示すように、締結具２１を用いて締結する。この場合において、下階柱１５と上階柱１６との間に上述した水平プレート１４を介在させる。この水平プレート１４は、図４に示すように、妻方向や桁方向に隣接する建物ユニット２，２間を連結するために介在されるものである。
【００３０】
この実施の形態のものでは、締結具２１の締結具本体２２が、下階柱１５の上蓋８部分（ウェルドナット１２部分）に螺着可能な下部ネジ部２３と、少なくとも上階柱１６の底蓋９よりも上方へ突出する部分に形成されて、ナット部材２４を螺着可能な上部ネジ部２５とを有している。即ち、締結具本体２２は、下部ネジ部２３と上部ネジ部２５とを有するジョイントボルト２６とされている。ここで、下部ネジ部２３と上部ネジ部２５とは、例えば、上蓋８の蓋孔１０，１１と略同径で且つ等ピッチに形成されている。しかし、下部ネジ部２３と上部ネジ部２５とは、異径としたり不等ピッチとしたりすることも可能である。なお、上階柱１６の底蓋９とナット部材２４との間には、座金２７およびワッシャ２８を介在させるようにしても良い。座金２７は、例えば、下蓋の蓋孔１０の周縁部に対して、係止させると共に周方向に対して略均等な面圧を発生させるために介在されるものである。ワッシャ２８には、例えば、スプリングワッシャ２９などを用いても良い。
【００３１】
且つ、上部ネジ部２５の上部に、先の尖った先尖部３１と、先尖部３１の下部を締結具本体２２の軸線方向へ延長して成る、上部ネジ部２５よりも小径のストレート部３２を有している。なお、下部ネジ部２３の下部には、特に何も形成しないようにする。
【００３２】
更に、必要に応じて、下部ネジ部２３および上部ネジ部２５の間に、リング部材３４を外嵌係止可能なネジ無部３５を形成する。このネジ無部３５は、上階柱１６の底蓋９の上面と略同じレベルか、それよりも僅かに低いレベルに形成する。ネジ無部３５は、例えば、上部ネジ部２５のネジ山の基部と略同径に形成する。また、リング部材３４は上部ネジ部２５のネジ山の側部および頂部にて係止されるようにする。リング部材３４をネジ無部３５に外嵌係止させるためには、焼き嵌めや冷やし嵌めなどを行っても良い。また、リング部材３４に切れ込みを入れるようにしても良い。或いは、リング部材３４の内周に上部ネジ部２５に螺着可能なネジ山を形成しても良い。
【００３３】
そして、必要に応じて、上階柱１６の底蓋９に形成された蓋孔１０と締結具本体２２との側部間に図５に示すような同芯プレート３８或いは偏芯プレート３９，４０を介在させる。同芯プレート３８および偏芯プレート３９，４０は、共に、底蓋９の蓋孔１０と略同径の外径と、下部ネジ部２３と略同径の内径とを有するリング状を呈している。同芯プレート３８は、図５（ａ）に示すように、外径と内径とを同芯としたものである。また、偏芯プレート３９，４０は、図５（ｂ）（ｃ）に示すように、外径と内径とを偏心させたものである（図５（ｂ）と（ｃ）とでは、偏芯プレート３９，４０の偏心量が異なっている）。
【００３４】
更に、上記リング部材３４を用いて、同芯プレート３８および偏芯プレート３９，４０を位置固定可能とする。そのために、同芯プレート３８および偏芯プレート３９，４０の孔部の上部に、リング部材３４の外径と略同径でリング部材３４を収容可能な凹部４１を形成する。この凹部４１は同芯プレート３８および偏芯プレート３９，４０の孔部と同芯に形成する。
【００３５】
加えて、上部ネジ部２５に、ナット部材２４の螺着位置よりも上方へ及ぶ延長ネジ部４２を形成する。そして、ストレート部３２を角頭部４３とする。角頭部４３は、例えば、六角形状などとする。
【００３６】
なお、建物ユニット２の精度が向上して、上階ユニット４と下階ユニット３との間の誤差調整が不要となった場合には、図６に示すように、ネジ無部３５およびリング部材３４を設けずに、下部ネジ部２３と上部ネジ部２５とを連続形成するようにしても良い。
【００３７】
そして、上記した締結具本体２２にナット部材２４を螺着させる締結工具４５として、図７〜図９に示すようなものを設ける。この締結工具４５は、上蓋８の工具挿入孔１３から上階柱１６内へ挿入可能なロッド部４６を有している。ロッド部４６は、上端に作業者が手動操作するハンドル４７と、締結確認をするために使用されるマーキングプレート記入用爪部４８とを備えている。
【００３８】
また、締結工具４５は、ロッド部４６の下端側に取付けられて、ナット部材２４を保持可能なソケットレンチ部４９とを有している。ソケットレンチ部４９は、図８に示すように、ナット部材２４を収容して保持可能なナット保持部５０を備えている。そして、必要に応じて、ナット保持部５０の下部に、ワッシャ２８および座金２７を保持可能な座金等保持部５１を備えている。座金等保持部５１は、座金２７を係止保持可能なＯリングやゴムパッキンなどを備えている。
【００３９】
更に、ソケットレンチ部４９は、図９に示すように、その外周に締結具本体２２に対する挿入ガイド部材５３を昇降可能に有しても良い。挿入ガイド部材５３は、ソケットレンチ部４９と略同径の筒状を呈しており、その上端にはソケットレンチ部４９に対する係止部５４が設けられている。この係止部５４は、例えば、ソケットレンチ部４９上端の角部に係止可能な内フランジ５５とされている。また、図７に示すように、ロッド部４６とソケットレンチ部４９との間には、ソケットレンチ部４９の角度を調整可能な角度調整機構５６が設けられている。
【００４０】
一方、上記した締結具本体２２を取外す取外工具６１として、図１０に示すようなものを設ける。この取外工具６１は、上蓋８の工具挿入孔１３から上階柱１６内へ挿入可能なロッド部６２と、ロッド部６２の下端側に取付けられた操作部６３とを有している。操作部６３は、延長ネジ部４２に螺着可能なネジ部を備えた締結具保持部６４と、角頭部４３に嵌着して角頭部４３を締結解除方向へ回転可能なレンチ部６５とを有している。締結具保持部６４は、例えば、図示しない一方向クラッチを介して締結方向へのみ回動可能にロッド部４６に取付けられている。また、レンチ部６５は、図示しない一方向クラッチを介して締結解除方向へのみ回動可能にロッド部４６に取付けられている。
【００４１】
次に、この実施の形態の作用について説明する。
【００４２】
下階ユニット４の下階柱１５と上階ユニット３の上階柱１６とを締結する場合、図１１に示すように、先ず、下階柱１５の上蓋８における蓋孔１０の下面に取付けられたウェルドナット１２に上方から締結具本体２２の下部ネジ部２３を螺着する。この際、上蓋８の上部に水平プレート１４および同芯プレート３８或いは偏芯プレート３９，４０を載置しておき、下部ネジ部２３を水平プレート１４および同芯プレート３８或いは偏芯プレート３９，４０に貫通させるようにする。なお、同芯プレート３８或いは偏芯プレート３９，４０は、上階ユニット３と下階ユニット４との間の誤差に合わせて適宜選定する。また、締結具本体２２のネジ無部３５にリング部材３４を外嵌係止させるようにする。
【００４３】
そして、下階柱１５の上部に上階柱１６をおろして行き、上階柱１６の底蓋９における蓋孔１０に締結具本体２２を通すようにする。この際、同芯プレート３８或いは偏芯プレート３９，４０が蓋孔１０に嵌合することにより、上階ユニット４と下階ユニット３との間の誤差が調整される。
【００４４】
最後に、上部ネジ部２５に対して、座金２７およびワッシャ２８を介してナット部材２４を螺着することにより、下階柱１５と上階柱１６とが締結される。
【００４５】
締結具本体２２にナット部材２４を螺着させるには、以下のような締結工具４５を使用する。
【００４６】
即ち、図８に示すように、ソケットレンチ部４９のナット保持部５０にナット部材２４を挿着すると共に、座金等保持部５１にワッシャ２８および座金２７を保持させる。そして、図９に示すように、ソケットレンチ部４９に対して挿入ガイド部材５３を下降させて、ソケットレンチ部４９の下端よりも挿入ガイド部材５３を下方へ突出させる。
【００４７】
次に、図１２に示すように、上蓋８の工具挿入孔１３から上階柱１６内へソケットレンチ部４９およびロッド部４６を挿入し、図１２、図１３に示すように、ソケットレンチ部４９を、上階柱１６内の外面側のコーナー部に沿って下降させる。そして、ソケットレンチ部４９を締結具本体２２に挿入させる。
【００４８】
この際、図１４に示すように、挿入ガイド部材５３をソケットレンチ部４９の下端よりも下方へ突出させることにより、容易にソケットレンチ部４９を締結具本体２２へと誘導することができる。
【００４９】
そして、図１５に示すように、先尖部３１が、締結具本体２２に対するナット部材２４などの挿入をガイドし、ナット部材２４が斜めに入ってきた場合でも、ストレート部３２がナット部材２４を上部ネジ部２５に対して真直ぐにするよう機能する。
【００５０】
こうしてナット部材２４がストレート部３２へ入ったら、作業者がハンドル４７を手動操作で締結方向に回すことにより、図１６に示すように、ナット部材２４が上部ネジ部２５に螺着される。この螺着の際に、挿入ガイド部材５３が底蓋９に当ると、挿入ガイド部材５３はソケットレンチ部４９に対し相対的に上昇されて退避することとなるので、挿入ガイド部材５３がソケットレンチ部４９による締結作業の妨げとなることはない。最後に、ナット部材２４が上部ネジ部２５に完全に螺着されたら、マーキングプレート記入用爪部４８を利用して締結確認を行う。
【００５１】
締結具本体２２を取外す場合には、以下のような取外工具６１を使用する。即ち、図１０に示すように、上蓋８の工具挿入孔１３から上階柱１６内へ操作部６３およびロッド部６２を挿入し、操作部６３の締結具保持部６４を締結方向へ回して、そのネジ部を延長ネジ部４２に螺着させ、この状態で、レンチ部６５を角頭部４３に嵌着して、角頭部４３を締結解除方向へ回すことにより、ナット部材２４ごと締結具本体２２を取外すようにする。この際、締結具本体２２のネジ無部３５にリング部材３４を外嵌係止させることにより、ワッシャ２８および座金２７を一緒に取外すことができる。
【００５２】
上記してきたように、この実施の形態の締結具２１によれば、下階柱１５の上蓋８に立てた締結具本体２２に上階柱１６の底蓋９を通して上からナット部材２４を螺着する構成としたことにより、締結構造を簡略化してコストや手間を削減し、且つ、ゴミ詰まりによる締結不良などを防止することができる。また、上部ネジ部２５の上部に先尖部３１と小径のストレート部３２を形成したことにより、締結具本体２２に対するナット部材２４の挿入を先尖部３１でガイドすることができ、ナット部材２４が斜めに入ってきた場合でも、ナット部材２４をストレート部３２で上部ネジ部２５に対して真直ぐにすることができる。
【００５３】
また、ネジ無部３５に形成したリング部材３４が、締結具本体２２の取外時に、ナット部材２４と上階柱１６の底蓋９との間に介在させた座金２７およびワッシャ２８を係止するため、締結具本体２２と一緒に座金２７およびワッシャ２８を取外すことが可能となる。
【００５４】
更に、上階柱１６の底蓋９に形成された蓋孔１０と締結具本体２２との間に偏芯プレート３９，４０を介在させることにより、下階柱１５と上階柱１６との間の誤差を調整することが可能となると共に、この偏芯プレート３９，４０をリング部材３４を利用して位置決め固定させることができる。
【００５５】
そして、延長ネジ部４２を利用して締結具本体２２を保持しつつ、角頭部４３を利用して締結具本体２２を締結解除方向へ回転させることにより、ナット部材２４ごと締結具本体２２を取外して部品交換を行うことが可能となる。
【００５６】
また、この実施の形態の締結工具４５によれば、締結具本体２２にソケットレンチ部４９を用いてナット部材２４を螺着する構成としたことにより、締結構造を簡略化してコストや手間を削減し、且つ、ゴミ詰まりなどによる締結不良を防止することができる。また、挿入ガイド部材５３をソケットレンチ部４９よりも下方へ突出した状態とすることにより、挿入ガイド部材５３でソケットレンチ部４９を締結具本体２２へ容易に誘導することができる。
【００５７】
更に、この実施の形態の取外工具６１によれば、延長ネジ部４２に締結具保持部６４のネジ部を螺着することにより締結具本体２２を保持しつつ、角頭部４３にレンチ部６５を嵌着して締結具本体２２を締結解除方向へ回転させることにより、ナット部材２４ごと締結具本体２２を取外して部品交換を行うことが可能となる。
【００５８】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００５９】
【発明の効果】
以上説明してきたように、請求項１の締結具の発明によれば、下階柱の上蓋に立てた締結具本体に上階柱の底蓋を通して上からナット部材を螺着する構成としたことにより、締結構造を簡略化してコストや手間を削減し、且つ、ゴミ詰まりによる締結不良などを防止することができる。また、上部ネジ部の上部に先尖部と小径のストレート部を形成したことにより、締結具本体に対するナット部材の挿入を先尖部でガイドすることができ、ナット部材が斜めに入ってきた場合でも、ナット部材をストレート部で上部ネジ部に対して真直ぐにすることができる。
【００６０】
請求項２の締結具の発明によれば、ネジ無部に形成したリング部材が、締結具本体の取外時に、ナット部材と上階柱の底蓋との間に介在させた座金およびワッシャを係止するため、締結具本体と一緒に座金およびワッシャを取外すことが可能となる。
【００６１】
請求項３の締結具の発明によれば、上階柱の底蓋に形成された蓋孔と締結具本体との間に偏芯プレートを介在させることにより、下階柱と上階柱との間の誤差を調整することが可能となると共に、この偏芯プレートをリング部材を利用して位置決め固定させることができる。
【００６２】
請求項４の締結具の発明によれば、延長ネジ部を利用して締結具本体を保持しつつ、角頭部を利用して締結具本体を締結解除方向へ回転させることにより、ナット部材ごと締結具本体を取外して部品交換を行うことが可能となる。
【００６３】
請求項５の締結工具の発明によれば、締結具本体にソケットレンチ部を用いてナット部材を螺着する構成としたことにより、締結構造を簡略化してコストや手間を削減し、且つ、ゴミ詰まりなどによる締結不良を防止することができる。また、挿入ガイド部材をソケットレンチ部よりも下方へ突出した状態とすることにより、挿入ガイド部材でソケットレンチ部を締結具本体へ容易に誘導することができる。
【００６４】
請求項６の取外工具の発明によれば、延長ネジ部に締結具保持部のネジ部を螺着することにより締結具本体を保持しつつ、角頭部にレンチ部を嵌着して締結具本体を締結解除方向へ回転させることにより、ナット部材ごと締結具本体を取外して部品交換を行うことが可能となる。
【００６５】
請求項７のユニット建物の発明によれば、太さ違いのユニット柱に対しても共通の工具で対応することが可能となる、という実用上有益な効果を発揮し得る。
【図面の簡単な説明】
【図１】本発明の実施の形態にかかる建物ユニットを上下に積重ねた状態を示す斜視図である。
【図２】図１のユニット柱を示ており、（ａ）は側面図、（ｂ）は平面図、（ｃ）は底面図である。
【図３】図１のＡ部分の拡大側方断面図である。
【図４】建物ユニットを妻方向および桁方向に隣接配置した状態を示す平面図である。
【図５】（ａ）は同芯プレートの２面図、（ｂ）は偏芯プレートの２面図、（ｃ）は別の偏芯プレートの２面図である。
【図６】誤差調整が不要な場合の図３と同様の拡大側方断面図である。
【図７】締結工具の全体側面図である。
【図８】図７のソケットレンチ部の拡大側方断面図である。
【図９】図８のソケットレンチ部に取付けられた挿入ガイド部材を示す拡大側方断面図である。
【図１０】取外工具の全体側面図である。
【図１１】ユニット柱の締結工程を説明する分解・拡大した側方断面図である。
【図１２】締結工具をユニット柱内へ挿入する工程を説明する概略側面図である。
【図１３】図１２に続く概略側面図である。
【図１４】挿入ガイド部材がソケットレンチ部を締結具本体へ誘導している状態を説明する拡大側方断面図である。
【図１５】先尖部とストレート部がナット部材を案内している状態を説明する拡大側面図である。
【図１６】ナット部材の締結具本体への螺着に伴い挿入ガイド部材が退避する状態を説明する拡大側方断面図である。
【符号の説明】
８    上蓋
９    底蓋
１０  蓋孔
１１  蓋孔
１５  下階柱
１６  上階柱
２１  締結具
２２  締結具本体
２３  下部ネジ部
２４  ナット部材
２５  上部ネジ部
３１  先尖部
３２  ストレート部
３４  リング部材
３５  ネジ無部
３９  偏芯プレート
４０  偏芯プレート
４２  延長ネジ部
４３  角頭部
４５  締結工具
４６  ロッド部
４９  ソケットレンチ部
５３  挿入ガイド部材
６１  取外工具
６２  ロッド部
６３  操作部
６４  締結具保持部
６５  レンチ部
【図１】
2005023968.tif 000003
【図２】
2005023968.tif 000004
【図３】
2005023968.tif 000005
【図４】
2005023968.tif 000006
【図５】
2005023968.tif 000007
【図６】
2005023968.tif 000008
【図７】
2005023968.tif 000009
【図８】
2005023968.tif 000010
【図９】
2005023968.tif 000011
【図１０】
2005023968.tif 000012
【図１１】
2005023968.tif 000013
【図１２】
2005023968.tif 000014
【図１３】
2005023968.tif 000015
【図１４】
2005023968.tif 000016
【図１５】
2005023968.tif 000017
【図１６】
2005023968.tif 000018